(57)【要約】【課題】  金属製の眼鏡フレーム等のように表面反射の強いフレームであっても、表面にカメラやレンズの写り込みがなく、より自然で審美的な撮影を可能とする光沢性被写体撮影方法、並びに、眼鏡フレームの撮影方法及び該方法を用いた眼鏡フレームの電子的カタログ作成方法を提供する。【解決手段】カメラ２で光沢性被写体１を撮影する方法であって、撮影された光沢性被写体像に前記カメラ２の写り込み像が形成されないように、前記カメラ本体２１及び該カメラ２のレンズ２２と前記光沢性被写体１との間に光学的遮蔽部材３、４を介在させるとともに、前記レンズ２２の遮蔽部材４に開口部４１を設け、この開口部４１を光沢性被写体１の像が撮影されるに必要十分な大きさ及び形状に形成したことを特徴とする。【選択図】  図１
2006146251.tif 000002
【特許請求の範囲】
【請求項１】
以下の（ａ），（ｂ），（ｃ）の条件下により、カメラで光沢性被写体を撮影することを特徴とする光沢性被写体撮影方法。
（ａ）撮影口と間接照明機能を有するライティングボックス内に、前記光沢性被写体を載置して、このライティングボックスの撮影口から前記光沢性被写体を撮影する。
（ｂ）撮影された光沢性被写体像に前記カメラの写り込み像が形成されないように、前記カメラ本体及びレンズ部と前記ライティングボックスとの間に光学的遮蔽部材を介在させて、前記カメラ本体及びレンズ部を遮蔽させる。
（ｃ）前記レンズ部を遮蔽する前記光学的遮蔽部材に開口部を設け、この開口部を前記光沢性被写体の像が撮影されるのに必要十分な大きさ及び形状に調整する。
【請求項２】
前記撮影の際には、カメラ本体部に取り付けられたストロボを使用するとともに、このストロボを遮蔽する第１の光散乱性透過部材を設け、この第１の光散乱性透過部材を介してフラッシュ光を照射することを特徴とする請求項１記載の光沢性被写体撮影方法。
【請求項３】
前記光沢性被写体として眼鏡フレームの像を撮影することを特徴とする請求項１〜２記載の光沢性被写体撮影方法。
【請求項４】
前記ライティングボックス内に撮影口方向側が開放された第２の光散乱性透過部材を設け、その第２の光散乱性透過部材内に眼鏡フレームを載置して、撮影を行うことを特徴とする請求項3記載の光沢性被写体撮影方法。
【請求項５】
各種の眼鏡フレームの画像情報を含む眼鏡フレームに関する情報を電子的に記録した眼鏡フレームの電子的カタログを作成する際に、前記眼鏡フレームの画像情報として、請求項１ないし４のいずれかに記載の眼鏡フレームの撮影方法で撮影した画像をデジタル化したデジタル画像情報を用いることを特徴とする眼鏡フレームの電子的カタログ作成方法。
【発明の詳細な説明】
【技術分野】
【０００１】
本発明は、例えば金属製の眼鏡フレーム等のような光沢性被写体を撮影する光沢性被写体撮影方法及び眼鏡フレーム撮影方法に関する。
【背景技術】
【０００２】
眼鏡フレームのカタログやパンフレットの作成の際、あるいは、眼鏡フレームの装用シミュレーションを行う際等には、眼鏡フレーム像を撮影する必要がある。例えば、特開昭６１−８０２２２号公報あるいは特開昭６３−７６５８１号公報に記載の眼鏡フレーム装用シミュレーション装置においては、眼鏡フレームの画像をビデオカメラによって撮影し、別に撮影した人物像と合成してシミュレーションを行っている。さらに、特開昭６３−１７２２２０号公報には、ビデオカメラによってコンピュータに取り込んだ眼鏡フレームの静止画像中の各ドットのＲ，Ｇ，Ｂ値を走査し、眼鏡フレームデータと、背景データとを分離する方法が記載されている。この場合、ビデオカメラで眼鏡フレームを撮影する方法として、間接照明光下で眼鏡フレームを暗箱内に配置して撮影する手法が採られている。
【発明の開示】
【発明が解決しようとする課題】
【０００３】
しかし、単に、間接照明下で暗箱内に眼鏡フレームを配置して撮影するだけでは、良好な画像を得ることが困難であった。特に、眼鏡フレームが金属フレームのように、表面光沢が著しい場合には、眼鏡フレーム表面にカメラやその背景の像の写り込みが生じ、自然な色彩を撮影できないという問題があった。デジタル画像で撮影したフレーム画像は、写りこみの修正、色補正等は可能であるが、このような修正や色補正を加えると画像が平面的で、塗ったようなイメージとなり現実のイメージとは異なってしまうという問題点があった。
【０００４】
本発明は、上述の背景のもとでなされたものであり、特に、金属製の眼鏡フレーム等のように表面反射の強いフレームであっても、表面にカメラやレンズの写り込みがなく、より自然で審美的な撮影を可能とする光沢性被写体撮影方法、並びに、眼鏡フレームの撮影方法及び該方法を用いた眼鏡フレームの電子的カタログ作成方法を提供することを目的とする。
【課題を解決するための手段】
【０００５】
上記の課題を解決するための手段として、第１の手段は、
カメラで光沢性被写体を撮影する方法であって、
撮影された光沢性被写体像に前記カメラの写り込み像が形成されないように、前記カメラ本体及び該カメラのレンズと前記光沢性被写体との間に光学的遮蔽部材を介在させるとともに、前記レンズの遮蔽部材に開口部を設け、この開口部を前記光沢性被写体の像が撮影されるに必要十分な大きさ及び形状に形成したことを特徴とする光沢性被写体撮影方法である。
【０００６】
第２の手段は、
前記開口部を前記光沢性被写体像が撮影されるために必要最小限の大きさ及び形状に形成したことを特徴とする第１の手段にかかる光沢性被写体撮影方法である。
【０００７】
第３の手段は、
前記遮蔽部材は、表面が白色をなしたものであることを特徴とする第１又は第２の手段にかかる光沢性被写体撮影方法である。
【０００８】
第４の手段は、
第１〜第３のいずれかの手段にかかる光沢性被写体撮影方法を用い、前記光沢性被写体として眼鏡フレームを用いることによって眼鏡フレームの像を撮影することを特徴とする眼鏡フレームの撮影方法である。
【０００９】
第５の手段は、
前記撮影の際には、前記眼鏡フレームに光散乱性透過部材を介してフラッシュ光を照射することを特徴とする第４の手段にかかる眼鏡フレームの撮影方法である。
【００１０】
第６の手段は、
前記眼鏡フレームを、間接照明機能を有するライティングボックス内に載置して、このライティングボックスの撮影口から前記カメラで眼鏡フレームを撮影することを特徴とする第４の手段にかかる眼鏡フレームの撮影方法である。
【００１１】
第７の手段は、
前記眼鏡フレームを、前記カメラによる撮影口を設けた光散乱性透過部材で覆うことを特徴とする第６の手段にかかる眼鏡フレームの撮影方法である。
【００１２】
第８の手段は、
前記カメラがデジタルカメラであることを特徴とする第６の手段にかかる眼鏡フレーム撮影方法である。
【００１３】
第９の手段は、
各種の眼鏡フレームの画像情報を含む眼鏡フレームに関する情報を電子的に記録した眼鏡フレームの電子的カタログを作成する際に、前記眼鏡フレームの画像情報として、第４〜第８のいずれかの手段にかかる眼鏡フレームの撮影方法で撮影した画像をデジタル化したデジタル画像情報を用いることを特徴とする眼鏡フレームの電子的カタログ作成方法である。
【発明の効果】
【００１４】
第１の手段によれば、光沢性被写体とレンズとの間にも開口部を設けた遮蔽部材を設けるようにしたことにより、光沢性被写体へのカメラ本体やレンズの写り込みを軽減することが可能になり、より自然で鮮明な撮影が可能になる。遮蔽部材は、光沢性被写体にカメラやレンズの写り込みが生ずるのを軽減できる部材であればよく、必ずしも光遮断部材である必要はなく、光散乱性透過部材であってもよい。
【００１５】
第２の手段によれば、レンズの光沢性被写体への写り込みを最小に押さえることができる。この場合、開口部の形状は、被写体の形状に対応して開口面積が最小になるように設定することが好ましい。
【００１６】
第３の手段によれば、カメラ本体やレンズの光沢性被写体への写り込みを良好に軽減することができる。表面が白色をなした部材としては、光沢性の少ない白紙等があげられる。
【００１７】
第４の手段によれば、眼鏡フレームが光沢性のものである場合も、被写体へのカメラ本体やレンズの写り込みを軽減することが可能になり、より自然で鮮明な撮影が可能になる。
【００１８】
デジタルカメラを用いて撮影することにより、眼鏡フレームの画像をデジタル情報として得ることができ、後の編集や取り扱いが極めて容易になる。
【発明を実施するための最良の形態】
【００１９】
（実施例１）
以下、本発明の実施例にかかる眼鏡フレームの撮影方法を図面を参照にしながら説明する。図１は実施例１にかかる眼鏡フレームの撮影方法を実施するための装置の概略構成を示す部分断面図、図２はライティングボックスの上部断面図、図３はデジタルカメラに取り付けられた遮蔽部材の一部破断図、図４は遮蔽部材の正面図である。
【００２０】
図１に示されるように、この方法は、被写体１をデジタルカメラ２によって撮影する方法である。被写体１は、光沢性の高い金属製の眼鏡フレームである。この場合、被写体１は、ライティングボックス１００内にセットされる。また、デジタルカメラ２は、通常の一眼レフタイプの比較的径の大きいレンズを有するものである。このデジタルカメラ２のカメラ本体２１の先端部にあるレンズ部２２には、鍔状の第１の遮蔽部材３とキャップ状の第２の遮蔽部材４がはめ込まれる。
【００２１】
ライティングボックス１００は、本体ケース１０１内の中心部に被写体載置テーブル１０２が設けられている。この被写体載置テーブル１０２上に載置された被写体１を外部から撮影するための開口部である撮影口１０３が形成されている。
また、上記被写体載置テーブル１０２を取り囲むように、前方側面ランプＬ１，Ｌ２、上部中央ランプＬ３，Ｌ４、上部後方側面ランプＬ５，Ｌ６、下部中央ランプＬ７，Ｌ８，Ｌ９等が設けられている。これらは図示しないコントローラによって、照射方向、光量その他の照射条件を自在に変えられるようになっている。
【００２２】
上記被写体載置テーブル１０２と各ランプとの間には、乳白色の透光性アクリル板等からなる光散乱性透過部材１０４、１０５、１０６、１０７等が介在されている。これにより、被写体載置テーブル１０２上に載置された被写体１が、上記各ランプによって間接的に照明されるようになっている。なお、被写体載置テーブル１０２の下部に設けられた光散乱性透過部材１０４は、後方にいくにしたがって、上方に曲がる曲面形状に形成されている。これにより、被写体１の背景を構成するようにしている。
【００２３】
第１の遮蔽部材３は、被写体１から見た場合の視野にカメラ本体２１が入らなくなるようにカメラ本体２１と被写体１との間の光学的連絡を遮蔽する部材である。この実施例では、被写体１から見た場合の視野にカメラ本体２１が入らなくなるような大きさを有する略四角形状の板状体で構成した。また、第２の遮蔽部材４は、デジタルカメラ２のレンズ部２２と被写体１との間の光学的連絡を遮蔽する部材である。これにより、撮影された光沢性被写体像にカメラ本体２１及びレンズ部材２２のレンズ等の写り込み像が形成されないようにしている。
【００２４】
第２の遮蔽部材４はレンズ部２２にはめ込まれるキャップ状をなしたものである。この第２の遮蔽部材４の先端部には、長方形状の開口部４１が設けられている。この開口部４１は、被写体１の像を撮影するためのもので、被写体１の像が撮影できる必要最小限の大きさに形成される。長方形状にしているのは、この実施例の被写体が眼鏡フレームであるからであり、被写体１が他の形状のものである場合には、その被写体の形状に応じて必要最小限の大きさになるような形状に形成する。
【００２５】
開口部４１の大きさ及び形状は、デジタルカメラ２に映し出される被写体１の像を実際に観察しながら、その被写体１の像が欠けないで映し出される最小の大きさまで開口部の大きさ及び形状を小さくしていって決める。この開口部の大きさが小さければ小さいほど、写り込みをより小さく押さえることができるからである。上記第１及び第２の遮蔽部材３、４は、その表面が光沢のない白色をなした部材、例えば白紙で構成することができる。
【００２６】
デジタルカメラ２で被写体１を撮影する際には、ストロボ２３によってフラッシュ光を照射する必要のある場合もある。そのような場合には、ストロボ２３と被写体１との間に、第３の遮蔽部材５を介在させる。この第３の遮蔽部材５は、白色系のデフュージョンペーパー等からなる光散乱性透過部材で構成されたものである。これにより、デフュージョンペーパー自体の写りこみやレンズの開口部の写りこみ等を防ぐことができ、フラッシュ光の不均一性によって像が不自然になることを防止し、写り込みなしでより鮮明な被写体像を得ることが可能になる。
【００２７】
さらに、より自然で鮮明な被写体像を得るためには、被写体１（前記眼鏡フレーム）を、さらに光散乱性透過部材で覆うことが望ましい。例えば、図５に示されるような、乳白色のアクリル板等の光散乱性透過部材によって、撮影口６１を有し、底部に向って末広がりになっている容器状体６を作製し、この中に被写体１を収納して被写体載置テーブル１０２上に載せて撮影する。
【００２８】
撮影は、眼鏡フレームの斜視図的像、側面図的像、正面図的像、各部の拡大図的像等々の像を得るように、必要に応じて様々な状態について行う。それぞれの撮影の際に、ライティングボックス内の各ランプの調整や、第２の遮蔽部材の開口部４１の大きさや形状の調整をしながら写り込み等のない最良の像が得られるようにして行う。
【００２９】
図６は実施例の方法によって金属製の眼鏡フレームを撮影した場合（第２の遮蔽部材を用い、ストロボによるフラッシュ光を照射しての撮影）に得られた眼鏡フレーム像を示す図、図７は第２の遮蔽部材を用いないで撮影した場合（ストロボによるフラッシュ光を照射しての撮影）に得られた眼鏡フレーム像を示す図、図８は第２の遮蔽部材を用いずかつストロボによるフラッシュ光も照射しないで撮影した場合に得られた眼鏡フレーム像を示す図である。
【００３０】
これらの図において、図７及び図８に示される眼鏡フレーム像には、そのブリッジの近傍に黒い陰状のものが見られるが、図６のものには見られない。また、この黒い陰状のものがある図７及び図８の像を比較すると、図７に示される像の黒い陰の大きさが図８に示されるものより小さいことがわかる。
【００３１】
図６に示される像は、第２の遮蔽部材及びフラッシュ光を用いたものであり、図７に示される像は、第２の遮蔽部材を用いず、フラッシュ光のみを用いたものであり、図８に示される像は、第２の遮蔽部材及びフラッシュ光ともに用いないものである。
【００３２】
これらの結果から、上記黒い陰状のものは、デジタルカメラ２のレンズの被写体１（眼鏡フレーム）への写り込みであり、第２の遮蔽部材４及びフラッシュ光を用いることによって、この写り込みをほぼ完全になくすことが可能であることがわかる。また、フラッシュ光を用いることによって、写り込みをかなり軽減できることもわかる。
【００３３】
次に、図９に示すように、デジタルカメラ２で撮影された眼鏡フレーム１の像はパーソナルコンピュータ２００に取り込まれ、必要な他の情報と共に編集されて眼鏡フレームの電子的カタログ作成に用いられる。この場合、必要な他の情報とは、例えば、眼鏡フレームの種類や名称もしくは型番、眼鏡フレームのブランドマークと会社、デザイナー名、価格、設定されている各種オプション等がある。オプションとしては、例えば、バネ丁番、超弾性フレーム、サングラス機能、金属アレルギー対策フレーム、宝石付フレーム（ジュエリー）、ゴールドフレーム等がある。
【００３４】
編集は、上記パーソナルコンピュータ２００によって、上記必要な情報を文字情報や音声情報として、各眼鏡フレームの画像情報と関連づけて行う。すなわち、画像情報、文字情報及び音声情報を含むマルチメディアカタログとして編集する。例えば、型番を指定すると、その型番の眼鏡フレームの画像情報のリストが現れ、そのリストから特定の画像を選んで表示又は出力できるようにする。また、例えば、眼鏡フレームの種類とブランドとを指定すると、該当するリストが表示され、そのリストから選定した特定の眼鏡フレームの特定の画像を選んで表示又は出力できるようにする。あわせて、選定された眼鏡フレームの他の情報、例えば、価格、オプションのリスト、その他を文字あるいは音声で表示あるいは出力できるようにする。
【００３５】
こうして編集された電子的カタログは、パーソナルコンピュータ２００の記憶装置に記憶されるか、オンラインで他のコンピュータに送信されるか、あるいは、ＣＤ−ＲＯＭ３００等の記録媒体に記録され、眼鏡装用シミュレーションの実施に用いられるマルチメディアカタログとして供される。
【００３６】
図１０は眼鏡装用シミュレーション法の概要を示すブロック図である。この眼鏡装用シミュレーション法は、顧客の肖像データ１、フレームデータ２及びレンズデータ３をそれぞれ作成し、これらデータに基いて、レンズを嵌めたフレームを顧客が装用した画像４を画像合成手法によって作成することにより、眼鏡装用のシミュレーションを行うものである。
【００３７】
この眼鏡装用シミュレーション法は、顧客の肖像をデジタルカメラ等で撮影してデジタル画像情報にし、必要な顔表面処理やスケール調整をしてフレームと画像合成できるようにする。一方、予め入力されているレンズデータに基いて、レンズの種類、レンズ設計方法、加工指定、カラー等を指定して、顧客に合うレンズを選定する。そして、マルチメディアカタログ５等から供給されるフレームデータに基いて、フレームの種類、基本玉型形状、価格、ブランド、機能等を指定してフレームを選定する。こうして選定されたレンズ及びフレームを上記肖像と画像合成してシミュレーションを行うものである。
【００３８】
上記眼鏡装用シミュレーション法によれば、顧客が表示画面上で自らが自由に選定した眼鏡を装用した状態を種々迅速に確認することができ、よりフィットした眼鏡を得ることが可能になる。しかも、画像合成に用いる眼鏡フレームの像は、極めて自然で実際の風合いを保った像であるので、よりすぐれたシミュレーションが可能になる。
【００３９】
なお、上述の実施例１では、第１の遮蔽部材を鍔状とし、第２の遮蔽部材をキャップ状としたが、これは、上記形状に限られるものではなく、カメラ本体やレンズの被写体に対する写り込みを防止できる形状であればどのような形状であってもよい。また、第２の遮蔽部材の開口部の大きさ及び形状は、被写体に合わせて変えるのが好ましいが、被写体の形状が一定の場合等においては、開口部の形状及び大きさを変えずにレンズとの距離を変えることで撮影範囲を選定するようにしてもよい。さらには、開口部の大きさや形状をカメラその他の絞り機構を応用して、自在に変えられるようにしてもよい。
【００４０】
また、被写体とカメラの撮影位置の調整は、被写体側を調整するほうが好ましく、ボックス内のフレームの載置あるいは保持のための被写体載置テーブル１０２は、フレームの形状、大きさの相違、撮影方向などに対応できるように、３次元的方向及び角度等の位置調節できる構造が望ましい。
【００４１】
さらに、第３の遮蔽部材を使用するストロボ撮影は、レンズの開口部の写り込みまでをも考慮しなければならないような、写り込みの影響を受け易い種類のフレームの撮影の場合について好ましく用いるものである。
【００４２】
（実施例２）
図１１〜図１２は実施例２にかかる眼鏡フレームの撮影方法に用いる撮影用ライティングボックスの説明図であり、図１１は撮影用ライティングボックスの外観斜視図、図１２は撮影用ライティングボックスの内部構成を示す部分拡大断面図、図１３及び図１４は撮影用ライティングボックス内の照明ランプの配置を示す図である。
【００４３】
これらの図において、撮影用ライティングボックス２００は、白色のプラスチック製の本体ケース２０１内に各種の装置が内蔵されている。この本体ケース２０１の正面のパネル部のほぼ中心には、撮影口２０１ａが設けられ、この撮影口２０１ａの下部にはカメラ載置台２０１ｂが形成されている。このカメラ載置台２０１ｂ上にデジタルカメラ２２１が載置され、このカメラ２２１によって撮影が行われる。また、裏面側のパネル部２０１ｃは開閉自在な扉を構成しており、被写体である眼鏡フレーム１の出し入れ等を可能にしている。
【００４４】
上記カメラ２２１としては、カメラのレンズ口径が非常に小さいタイプ（レンズ直径が１ｃｍφ程度）のデジタルカメラを用いる。このようなデジタルカメラとしては、例えば、富士写真フィルム株式会社製の商品名「ＦｉｎｅＰｉｘ４７００ｚ」（最大４３２万画素）等がある。
【００４５】
また、表面パネル部には、メインスイッチ２１１、モード切替パネル２１２、調光パネル２１３が設けられている。メインスイッチ２１１は、撮影用ライティングボックス２００の主電源のオンオフをする。また、モード切替パネル２１２には、後述するダミーヘッドの位置や角度、照明ランプの調光度等を自動的に調整して撮影モードに応じた値に設定するスイッチとして、正面撮影モードボタン２１２ａ、側面撮影モードボタン２１２ｂ、近接撮影モードボタン２１２ｃ、モード設定値変更・手動調整モードボタン２１２ｄが設けられている。なお、モード設定値変更・手動調整モードボタン２１２ｄは、複数回の押す操作で設定が変り、最初の状態ではモード撮影の状態にある。次に、１回押すと、モード設定値を変更できる状態になる。したがって、この状態で、各モードボタンを押し、後述する手動調整を行なって再度押せばその値に各モードの値が設定される。１つのモード設定が終わったら、再度押し、同様に設定値を変える。設定終了の際には続けて２回押すと、最初の状態のモード撮影状態になるようになっている。
【００４６】
また、調光パネル２１３には、照明ランプの照明の強さを調整して、各撮影モードにおける照明の強さを設定し、あるいは、モード撮影とは別の条件で個別に手動で調整して撮影する場合のランプの照明強度の調整を行うためのスイッチとして、ランプメインスイッチ２１３ａ及び９個のランプの調光をそれぞれ独立に行う９個の調光つまみ２１３ｂが設けられている。
【００４７】
さらに、側面パネル部には、後述するダミーヘッド２０３の設定位置等を手動で調整するための操作つまみとして、上下調整調整つまみ２１４ａ、水平角度調整つまみ２１４ｂ、前後角度調整つまみ２１４ｃ、前後位置調整つまみ２１４ｄが設けられている。上述のように、モード設定値変更・手動調整モードボタン２１２ｄを押して、これらのつまみを操作すると、各撮影モードの際に自動的に設定されるダミーヘッド２０３の位置や角度の設定値を変更したり、あるいは、個別撮影の際の位置を決めることができる。
【００４８】
図１２に示されるように、撮影用ライティングボックス２００の本体ケース２０１の内部には、高演色蛍光管からなる照明手段Ｌ1〜Ｌ9と、その照明手段からの直接光を光拡散させるための光拡散性透過部材からなる光拡散ケース２０２と、その光拡散ケース２０２内に配置されるダミーヘッド２０３と、このダミーヘッド２０３の上下位置及び傾きなどを変える位置調整機構２０４が設けられている。なお、照明手段Ｌ1〜Ｌ9のうち、特に、前方の照明手段Ｌ1、Ｌ2が実施例１のストロボ撮影の光源の機能を有し、フレーム正面画像撮影を良好なものにする機能を有する。さらに、本体ケース２０１の内部には、特に図示しないが、照明手段をの調光をするに必要な回路装置、位置調整機構を駆動するために必要な回路装置、スイッチ類とこれらの回路装置とに接続されて、所定のプログラムに従ってこれらを制御する情報処理装置等の必要な電子回路装置その他が設けられている。
【００４９】
光拡散性透過部材からなる光拡散ケース２０２は、ダミーヘッド２０３を取り囲むような形状をなし、上部部材２０２ａと下部部材２０２ｂとからなり、上部部材２０２ａが下部部材２０２ｂに着脱自在になっている。また、上部部材の前側正面には、撮影口２０２ｃが設けられている。ダミーヘッド２０３やこのダミーヘッド２０３に装着した眼鏡フレームを取り替えるときに、上部部材２０２ａを下部部材２０２ｂから取り外すものである。なお、この光拡散ケース２０２は、適当な支柱によって本体ケース２０１内に支持されている。
【００５０】
ダミーヘッド２０３は、人間の頭部の肖像モデルであり、白色の光沢のない石膏質の素材から形成されている。このダミーヘッド２０３に被写体である眼鏡フレーム１を取り付けて撮影をする。これにより、眼鏡フレーム１自体はダミーヘッド２０３に固定したままで、ダミーヘッド２０３の位置や角度をかえることで種々の方向からの撮影を可能にするものである。
【００５１】
ダミーヘッド２０３は、位置調整機構２０４のヘッド取付軸２０４ａに着脱自在に取り付けられるようになっている。このヘッド取付軸２０４ａは、モータ駆動の自走式の回動装置２０４ｂに固定され、この自走式の回動装置２０４ｂは、円弧状レール２０４ｃに移動自在に取付られ、この円弧状レール２０４ｃは、取付部材２０４ｄによって、回転ステージ２０４ｅに固定されている。これにより、回動装置２０４ｂを駆動することにより、ダミーヘッド２０３の前後回転角度を調整できるようになっている。なお、回動装置２０４ｂは、手動駆動レバー２０４ｅによって手動でも駆動できるようになっている。この手動レバー２０４ｅの先端には、上述の前後角度調整つまみ２１４ｄが取付られており、このつまみを操作することにより手動調整ができるようになっている。
【００５２】
回転ステージ２０４ｅは、その外周に歯車の歯が形成されており、その歯にウォーム軸２０４ｇが噛み合わわされている。したがって、このウォーム軸２０４ｇを回転駆動することによって、回転ステージ２０４ｆは回転駆動される。なお、このウォーム軸２０４ｇは、図示しないモータ駆動ギアボックスに結合され、モータ駆動され、又は、このモータ駆動ギアボックスに結合された上述の水平角度調整つまみ２１４ｂによって手動駆動されるようになっている。
【００５３】
回転ステージ２０４ｅは、上下移動軸２０４ｈに回転自在に取付られている。この上下移動軸２０４ｈにはラック機構２０４ｉが設けられ、このラック機構の歯には、ピニオン軸２０４ｊが噛み合わされている。また、上下移動軸２０４ｈはガイド軸２０４ｋに上下移動自在に取付られている。したがって、このピニオン軸２０４ｊを回転駆動することによって、上下移動軸２０４ｈは上下に移動できるようになっている。これにより、ダミーヘッド２０３の位置を上下に調整できるようになっている。なお、このピニオン軸２０４ｊも、図示しないモータ駆動ギアボックスに結合され、モータ駆動され、又は、このモータ駆動ギアボックスに結合された上述の上下調整つまみ２１４ｂによって手動駆動されるようになっている。
【００５４】
上記ガイド軸２０４ｋは、前後移動ブロック２０４ｍに固定されており、この前後移動ブロック２０４ｍは、ガイドブロック２０４ｎに移動自在の取付られている。前後移動ブロック２０４ｍは、駆動軸２０４ｐを回転駆動することにより、前後に移動するようになっている。これにより、ダミーヘッド２０３の位置を前後に調整できるようになっている。なお、この駆動軸２０４ｐも、図示しないモータ駆動ギアボックスに結合され、モータ駆動され、又は、このモータ駆動ギアボックスに結合された上述の前後移動調整つまみ２１４ｃによって手動駆動されるようになっている。
【００５５】
上述の、撮影用ライティングボックス２００を用いて、眼鏡フレーム１の撮影をするときには、ダミーヘッド２０３に眼鏡フレーム１を装着し、デジタルカメラ２２１によって撮影する。その際、正面撮影モードボタン２１２ａを押すと、自動的にダミーヘッド２０３が正面を向き、また、各照明手段が正面撮影に最適照明強度に自動的に設定される。したがって、撮影者は、単に、デジタルカメラのシャッターを押すだけで、最適な正面撮影ができる。次に、側面撮影モードボタン２１２ｂを押すと、ダミーヘッド２０３が自動的に右に９０度回転し、照明手段も側面撮影に最適な状態に設定される。同様に、近接撮影モードボタン２１２ｃを押すと、フレームの智部の撮影のためにダミーヘッド２０３が側面のままでデジタルカメラ２２１のレンズ側の前方方向に移動し、フレームの智部の特徴が近接撮影できるようになっている。
【００５６】
実施例２によれば、極めて迅速な撮影が可能であると共に、撮影者が特に撮影に熟練した者でなくても、常に、最良の撮影が可能である。なお、この実施例２では、実施例１の第１及び第２の遮蔽部材を撮影用ライティングボックス本体の機能を兼ねていることになる。
【産業上の利用可能性】
【００５７】
以上詳述したように、本発明は、撮影された光沢性被写体像に前記カメラの写り込み像が形成されないように、前記カメラ本体及び該カメラのレンズと前記眼鏡フレームとの間に光学的遮蔽部材を介在させるとともに、前記レンズの遮蔽部材に開口部を設け、この開口部を前記光沢性被写体の像が撮影されるに必要十分な大きさ及び形状に形成したことを特徴とするもので、これにより、特に、金属製の眼鏡フレーム等のように表面反射の強いフレームであっても、表面にカメラやレンズの写り込みがなく、より自然で審美的な撮影を可能とする光沢性被写体撮影方法、並びに、眼鏡フレームの撮影方法及び該方法を用いた眼鏡フレームの電子的カタログ作成方法を得ている。
【図面の簡単な説明】
【００５８】
【図１】本発明の実施例１にかかる眼鏡フレームの撮影方法を実施するための装置の概略構成を示す部分断面図である。
【図２】ライティングボックスの上部断面図である。
【図３】デジタルカメラに取り付けられた遮蔽部材の一部破断図である。
【図４】第１及び第２の遮蔽部材の正面図である
【図５】光散乱性透過部材によって構成された被写体１を収納するための容器状体６を示す図である。
【図６】本発明の実施例１の方法によって金属製の眼鏡フレームを撮影した場合（第２の遮蔽部材を用い、ストロボによるフラッシュ光を照射しての撮影）に得られた眼鏡フレーム像を示す図である。
【図７】第２の遮蔽部材を用いないで撮影した場合（ストロボによるフラッシュ光を照射しての撮影）に得られた眼鏡フレーム像を示す図である。
【図８】第２の遮蔽部材を用いずかつストロボによるフラッシュ光も照射しないで撮影した場合に得られた眼鏡フレーム像を示す図である。
【図９】眼鏡フレームの電子的カタログを作成する手順を示す図である。
【図１０】眼鏡装用シミュレーション法の概要を示す図である。
【図１１】本発明の実施例２にかかる撮影用ライティングボックスの外観斜視図である。
【図１２】撮影用ライティングボックスの内部構成を示す部分拡大断面図である。
【図１３】撮影用ライティングボックス内の照明ランプの配置を示す図である。
【図１４】撮影用ライティングボックス内の照明ランプの配置を示す図である。
【符号の説明】
【００５９】
１…被写体
２…デジタルカメラ
３…第１の遮蔽部材
４…第２の遮蔽部材
５…第３の遮蔽部材
６…容器状体
２１…カメラ本体
２２…レンズ部
２３…ストロボ
４１…開口部
１００…ライティングボックス
１０１…ケース本体
１０２…被写体載置テーブル
１０３…撮影口
１０４，１０５，１０６，１０７…光散乱性透過部材
２００…パーソナルコンピュータ
３００…ＣＤ−ＲＯＭ
【図１】
2006146251.tif 000003
【図２】
2006146251.tif 000004
【図３】
2006146251.tif 000005
【図４】
2006146251.tif 000006
【図５】
2006146251.tif 000007
【図６】
2006146251.tif 000008
【図７】
2006146251.tif 000009
【図８】
2006146251.tif 000010
【図９】
2006146251.tif 000011
【図１０】
2006146251.tif 000012
【図１１】
2006146251.tif 000013
【図１２】
2006146251.tif 000014
【図１３】
2006146251.tif 000015
【図１４】
2006146251.tif 000016